(57)【特許請求の範囲】
【請求項１】
浴槽防水パンに浴槽を設置し、該浴槽の洗い場側にエプロンを固定する構造であって、
前記エプロンは、浴槽とは別体の上エプロンと下エプロンに分割されており、
前記上エプロンの左右方向の端縁を浴室壁面を構成する壁パネルに当接させ、該壁パネルの表面と前記上エプロンの洗い場側面とを平面視Ｌ型の固定金具で固定するとともに、前記下エプロンは前記上エプロンに対し取り外し可能に構成し、
前記固定金具を、前記壁パネルの洗い場側に設けられたカウンターで覆った
ことを特徴とするエプロンの固定構造。
【請求項２】
前記固定金具に、前記カウンターを固定するためのブラケットを一体で設けたことを特徴とする請求項１に記載のエプロンの固定構造。
【発明の詳細な説明】
【技術分野】
【０００１】
本発明は、浴槽の洗い場側に設けられるエプロンの固定構造に関するものである。
【背景技術】
【０００２】
従来、特許文献１に開示されているように、エプロンの裏側で左右の壁パネルに固設した金具を介して、浴槽の洗い場側に設置されるエプロンを左右の壁パネルに固定した構造が存在する。
【特許文献１】特公平３−１６８４９号公報
【発明の開示】
【発明が解決しようとする課題】
【０００３】
上記特許文献１に開示されているエプロンの固定構造では、エプロンの裏側で金具を壁パネルに固定するものであるため、固定しにくく、また一旦エプロンを固定すると取り外しができないものであった。また、エプロンの固定と同時に洗い場側に設けられるカウンターを固定することはできず、エプロン固定用の金具とカウンター固定用の金具を別々に設けなければならないという問題点があった。
【課題を解決するための手段】
【０００４】
本発明は上記従来の問題点に鑑み案出したものであって、エプロンを強固に固定することができ、固定作業も容易となるエプロンの固定構造を提供せんとするものであり、その請求項１は、浴槽防水パンに浴槽を設置し、該浴槽の洗い場側にエプロンを固定する構造であって、
前記エプロンは、浴槽とは別体の上エプロンと下エプロンに分割されており、
前記上エプロンの左右方向の端縁を浴室壁面を構成する壁パネルに当接させ、該壁パネルの表面と前記上エプロンの洗い場側面とを平面視Ｌ型の固定金具で固定するとともに、前記下エプロンは前記上エプロンに対し取り外し可能に構成し、
前記固定金具を、前記壁パネルの洗い場側に設けられたカウンターで覆った
ことである。
【０００５】
また、請求項２は、前記固定金具に、前記カウンターを固定するためのブラケットを一体で設けたことである。
【発明の効果】
【０００６】
本発明は、浴槽防水パンに浴槽を設置し、該浴槽の洗い場側にエプロンを固定する構造であって、前記エプロンは、浴槽とは別体の上エプロンと下エプロンに分割されており、前記上エプロンの左右方向の端縁を浴室壁面を構成する壁パネルに当接させ、該壁パネルの表面と前記上エプロンの洗い場側面とを平面視Ｌ型の固定金具で固定するとともに、前記下エプロンは前記上エプロンに対し取り外し可能に構成し、前記固定金具を、前記壁パネルの洗い場側に設けられたカウンターで覆ったことにより、Ｌ型の固定金具で洗い場側から容易に上エプロンを壁パネルに固定することができ、上エプロンを強固に固定させておくことができ、また、下エプロンは取り外すことで、洗い場側から浴槽の底面側を良好に掃除することができるものとなる。
また、固定金具がカウンターで隠されて、極めてすっきりとした意匠性を呈したエプロンとカウンターの設置状態が得られるものとなる。
【０００７】
また、前記固定金具に、前記カウンターを固定するためのブラケットを一体で設けたことにより、エプロンと壁パネルとカウンターとを１つの固定金具で連結することができ、カウンターとエプロンの隙間がばらつくことなく、極めてすっきりとした設置状態が得られるものとなる。
【実施例】
【０００８】
以下、本発明の実施例を図面に基づいて説明する。
図１は、浴室の内部配置構成図である。
浴室１内には浴槽２が設けられ、この浴槽２の洗い場３ａ側にはエプロン４が立設されている。このエプロン４からドア１１側のドア側壁パネル５ｂに向かって、正面側壁パネル５ａにはカウンター６が横設されており、カウンター６はドア側壁パネル５ｂにほぼ当接状態となっている。また、このカウンター６の上方には、連続状に水栓ハンドル８を前面に備えた水栓カバー７が設けられており、水栓ハンドル８にはシャワーヘッド９が連繋されている。また、シャワーヘッド９の側方の浴槽２側には、縦方向に握りバー１０が正面側壁パネル５ａに取り付けられている。
【０００９】
図２は、浴槽のエプロンとカウンターの取付構造を示すカウンターを取り外した状態の要部拡大斜視構成図である。
浴槽２は、奥側壁パネル５ｃに奥側が当接されて設置され、右端側は正面側壁パネル５ａに当接され、左端側も正面側壁パネル５ａの対面側の壁パネルに当接されて設置されており、この浴槽２の底側は、洗い場３ａを形成する洗い場パン３と連続した浴槽パン１２上に載置されている。この浴槽パン１２側の洗い場パン３には堤防部３ｂが立設されており、この堤防部３ｂ上にエプロン４が立設状に取り付けられ、本例では、エプロン４は、上側の上エプロン４ａと下側の下エプロン４ｂで構成されている。
上エプロン４ａは、浴槽２および壁パネル５ａに強固に固定され、上エプロン４ａに対し下エプロン４ｂを着脱できるように構成されており、下エプロン４ｂを取り外して、洗い場３ａ側から浴槽パン１２を掃除することができるように構成されている。
【００１０】
なお、図３は、上エプロン４ａに対し下エプロン４ｂを取り付けた状態の縦断面を示すものであり、下エプロン４ｂを固定させる際には、図３に示すように、下エプロン４ｂの上端を上エプロン４ａの下端に係合させて、その状態で浴槽側へ下エプロン４ｂを押し込み、下エプロン４ｂの下端の爪を堤防部３ｂ上に嵌め込むことで、下エプロン４ｂを取り外し可能に固定することができるものである。
【００１１】
なお、上エプロン４ａの上端は、図４に示すように、浴槽２に当接されるものである。即ち、浴槽２のフランジ部２ａの先端には垂下片２ｂが一体形成されており、一方、上エプロン４ａの上端には浴槽側へ水平状に水平片４１が形成され、さらに水平片４１から垂直片４２が立ち上げられ、垂直片４２の上端に略水平状に上端水平片４３が形成されており、エプロンの垂直片４２と浴槽の垂下片２ｂとの間に、例えばスポンジテープ２１ａを介在させ、また、浴槽のフランジ部２ａの裏側に補強用に垂設されたリブ２ｃにもスポンジテープ２１ｂを取り付けておき、このスポンジテープ２１ｂに上エプロン４ａの上端水平片４３の先端を当接させることで、がたつくことなく上エプロン４ａを浴槽２のフランジ部２ａの裏側に係合させることができるものである。
【００１２】
なお、浴槽がＦＲＰ製である場合には、図４のようなエプロンの取付構造が採用されるが、浴槽２が人造大理石のような場合には、図５に断面図で示すようなエプロンの取付構造が採用される。
即ち、図５では、図６の斜視図で示すようなバネ金具２２が用いられ、このバネ金具２２は、浴槽のフランジ部２ａの下面に垂設されたボス部２ｄに下ビス２３で固定される固定片２２ａと、この固定片２２ａから一体状に垂下する垂下片２２ｂと、垂下片２２ｂの下端でＵ字状に上方へ向かい傾斜状に立ち上がる傾斜片２２ｃと、傾斜片２２ｃの上端で垂下片２２ｂ側へ上傾状に折り曲げられたバネ片２２ｄと、バネ片２２ｄの上端で垂下片２２ｂから離れる方向に上傾した折曲片２２ｅで構成されており、図５に示すように、ボス部２ｄにビス２３で固定されたバネ金具２２のバネ片２２ｄに対し上エプロン４ａの垂直片４２の下端を当接させて、上エプロン４ａの水平片４１を浴槽の垂下片２ｂの下側に配置させて、上エプロン４ａを浴槽２に取り付けることにより、バネ金具２２のバネ片２２ｄが上エプロン４ａを上方へ押し上げて、上エプロン４ａの水平片４１を浴槽の垂下片２ｂの下端に押し付け状にし、がたつくことなく上エプロン４ａを強固に浴槽フランジ部２ａに当接できるものとなる。
【００１３】
なお、本例では、上エプロン４ａのカウンター６側の端縁は、Ｌ型固定金具１５により壁パネル５ａに固定されている。
Ｌ型固定金具１５は、図７に拡大して示すように平面視略Ｌ型をなし、壁パネル５ａに当接状に固定される壁固定片１５ａと、この壁固定片１５ａから直角に洗い場側へ突出するエプロン固定片１５ｂで構成されており、エプロン固定片１５ｂには、ネジ２５を締め込むネジ孔１５ｃ，１５ｃが形成されており、また、壁固定片１５ａには、タッピングビス２４を通す通し孔１５ｄ，１５ｄが形成されている。
【００１４】
上エプロン４ａの端縁の洗い場３ａ側の面にエプロン固定片１５ｂを当接させ、上エプロン４ａの裏側からネジ２５を差し込んで、ネジ２５をネジ孔１５ｅに締め付け、エプロン固定片１５ｂを上エプロン４ａに固定させておき、この状態で、タッピングビス２４を洗い場３ａ側から壁固定片１５ａの通し孔１５ｄ，１５ｄに通して壁パネル５ａに締め付け、壁パネル５ａにＬ型固定金具１５を介して上エプロン４ａを固定することができ、上エプロン４ａは強固に固定されて外れることがなくなる。
なお、洗い場３ａ側から壁パネル５ａにＬ型固定金具１５を固定することができるため、作業が洗い場３ａ側から容易に行なえるものである。
【００１５】
なお、上エプロン４ａの洗い場側の面の浴槽のフランジ部２ａに近い位置には、図８に示すようにバックハンガー１３が取り付けられている。このバックハンガー１３は、図８に示すように、ビスで固定される横長孔１３ｃ，１３ｃを形成した固定片１３ａと、固定片１３ａから上エプロン４ａの表面との間に隙間を形成して横方向に突出する引っ掛け片１３ｂで構成されている。
【００１６】
また、図２に示すように、このバックハンガー１３とＬ型固定金具１５間の上エプロン４ａの洗い場面側にカウンター支持金具１４が取り付けられており、このカウンター支持金具１４は、上端および下端側に上方および下方に突出する爪１４ａ，１４ｂを備えている。
また、壁パネル５ａには、ドア側壁パネル５ｂに向かって間隔をおいて複数のカウンターブラケット１６ａ，１６ｂ，１６ｃが固設され、ドア側壁パネル５ｂ側には隙間材１７が固設されて、このカウンターブラケット１６ａ，１６ｂ，１６ｃおよび隙間材１７上にカウンター６が取り付けられるものである。
【００１７】
カウンター６は、上面６ａと、上面６ａの前端から垂下状に一体形成された前面６ｂと、前面６ｂの下端から上面６ａと略平行に一体形成された底面６ｃと、上面６ａの後端で一段高く一体形成されたバックガード６ｄを有し、また、前面６ｂの中央部には、洗い場側へ突出して洗面器を載せることのできる洗面器載せ部６ｅが一体形成されている。また、バックガード６ｄには、間隔をおいてビスキャップ１８，１８，１８が嵌め込まれている。
また、カウンター６の左端縁には、上面６ａから垂下状に係止爪６ｆが設けられ、また前面６ｂから壁パネル５ａ側へ向かって係止爪６ｇが設けられている。
【００１８】
カウンター６は、前記バックハンガー１３の引っ掛け片１３ｂと上エプロン４ａ間に係止爪６ｇを係合させ、また、カウンター支持金具１４の爪１４ａに係止爪６ｆを係合させて、上エプロン４ａ側にカウンター６の一端側が引き寄せられた状態で、カウンターブラケット１６ａ，１６ｂ，１６ｃ上に載せられ、他端側が隙間材１７上に載せられて設置されるものである。
【００１９】
なお、図９に示すものは、Ｌ型固定金具の変更例を示すものであり、上エプロン４ａとカウンター６を１つのＬ型固定金具１５０で隙間なく連結できるように構成したものである。
即ち、図９のＬ型固定金具１５０は、正面側の壁パネル５ａに当接状に固定される壁固定片１５０ａと、この壁固定片１５０ａに対し略直角状に洗い場側へ突出するエプロン固定片１５０ｂを有し、このエプロン固定片１５０ｂの上縁には、Ｌ字状断面のカウンター上面引っ掛け片１５０ｃが一体形成され、このカウンター上面引っ掛け片１５０ｃにカウンター６の係止爪６ｆを引っ掛けて係止させることができるものである。
また、エプロン固定片１５０ｂの前端にも断面Ｌ字状のカウンター前面引っ掛け片１５０ｄが一体形成されており、このカウンター前面引っ掛け片１５０ｄには、カウンター６の係止爪６ｇを前面側から引っ掛けることができるものである。
【００２０】
さらにエプロン固定片１５０ｂの下端にも断面Ｌ字状のカウンター底面引っ掛け片１５０ｅが一体形成されており、カウンター６の底面の係止爪を引っ掛けることができるものである。また、エプロン固定片１５０ｂには、配管Ｐを通すことのできる配管用開口１５０ｆが形成されている。
一方、前記壁固定片１５０ａの上端側には、洗い場側へ水平状に突出してカウンター固定用ブラケット部１５０ｈが一体形成されており、その側方には、カウンターのバックガード６ｄを固定するためのバックガード固定部１５０ｉが一体形成されている。また、壁固定片１５０ａの下端にも洗い場側へ突出してカウンター当接片１５０ｊが一体形成されており、このカウンター当接片１５０ｊがカウンターの底面６ｃに当接されるものである。
【００２１】
この図９のようなＬ型固定金具１５０を用いれば、ネジ孔１５０ｇにネジを締め付けてエプロン固定片１５０ｂを上エプロン４ａに固定させておき、この状態で、通し孔１５０ｋにタッピングビスを通して壁パネル５ａに締め付けることで、壁固定片１５０ａを壁パネル５ａに固定させることができ、この状態でカウンター固定用ブラケット部１５０ｈおよびカウンター当接片１５０ｊにカウンター６を係合させて、さらにバックガード６ｄをバックガード固定部１５０ｉに固定させて、良好にカウンターを設置することができ、カウンター６と上エプロン４ａは隙間がばらつくことなく、良好に上エプロン４ａとカウンター６が連続した状態に１個のＬ型固定金具１５０で連結することができるものとなる。
【００２２】
このようなＬ型固定金具１５０を用いれば、前述したバックハンガー１３，カウンター支持金具１４，Ｌ型固定金具１５，カウンターブラケット１６ａを省略でき、この４つの金具を１個のＬ型固定金具１５０で代用させることができるものとなり、部品点数が少なくなり、上エプロン４ａおよびカウンター６の固定作業が容易に行なえるものとなる。
【００２３】
なお、図１０に示すものは、浴槽２の左右の洗い場３ａ側に縦状に設けられる縦支持部材１９であり、この縦支持部材１９は、浴槽２が浴室の壁パネル間にぴったりと設置できる場合に機能することができ、縦支持部材１９の前面１９ａに上エプロン４ａの端縁が当接されるもので、縦支持部材１９の内側側面１９ｂには、Ｕ字状のゴム部材２７の通し孔２７ａ内に蝶ボルト２６を差し込み、蝶ボルト２６を縦支持部材１９の内側側面１９ｂにねじ込んで、蝶ボルト２６とワッシャーを介してゴム部材２７を予め取り付けておくことができ、このゴム部材２７に対し、図１１に概略図で示すエプロン４ａの端側の側片４４の内側に平行状に一体形成されたリブ４５を、図１２の平面拡大図で示すように嵌めこんで、リブ４５を縦支持部材１９に強固に連結することができ、上エプロン４ａをがたつくことなく強固に固定できるものとなる。
【００２４】
なお、前述したカウンター６上には、図１３に示すように水栓カバー７が連結されるが、水栓カバー７内には水栓本体が隠蔽されて配置され、その前面に水栓ハンドル８が突出されるものであり、この水栓カバー７から垂下状に横断面コの字状の箱カバー２８を垂設させて、この箱カバー２８の下端をカウンター６のバックガード６ｄ上に当接させて設置することで、カウンター６と水栓カバー７が箱カバー２８ですっきりとした意匠性を呈して隙間なく連続状に配置されるものとなる。
【００２５】
なお、この場合、カウンターブラケット１６ａ，１６ｂ，１６ｃの上下位置を調節することで、カウンター６のバックガード６ｄを箱カバー２８の下端に良好に当接させることができるものである。
なお、この箱カバー２８内には配管が縦方向に通され、水栓カバー７内の水栓本体に接続されるものである。
なお、カウンター６内にも配管が通されて、配管は上エプロン４ａと浴槽２間の隙間内に配管されるものである。
【００２６】
なお、カウンターのバックガード６ｄに取り付けられてカウンターブラケット１６ａ，１６ｂ，１６ｃを固定するためのビスを隠蔽させるビスキャップ１８は、図１４に斜視図で示すような形状となっており、水平状の上面１８ａの前端で垂下片１８ｂが一体形成され、上面１８ａと垂下片１８ｂを跨ぐように中央部で下方へ垂設されて係合爪１８ｃが形成されており、この係合爪１８ｃは、図１５の側面図で示すような、先端が傾斜した形状に形成されており、良好にカウンターのバックガード６ｄに形成されている図示しない係合部にこの係合爪１８ｃが係合されるものである。
【００２７】
次に、浴槽２の左右の端縁を壁パネルに固定するために、図１６に示すような端縁固定金具２０が用いられている。
この図１６の端縁固定金具２０は、壁パネルに固定される固定片２０ａに複数の孔２０ｅ，２０ｅが形成されており、下部にシール材２９が貼着されている。また、固定片２０ａの上端には、内側へ水平状に折り曲げて水平片２０ｂが形成され、さらに水平片２０ｂから立上片２０ｃが一体状に立ち上げられ、立上片２０ｃの上端で傾斜状に折り曲げて傾斜ガイド片２０ｄが一体形成されている。
【００２８】
このような端縁固定金具２０は、図１７に示すように、壁パネル５ａおよび対面側の壁パネル５ｄにビス３０で固定片２０ａが固定されると、シール材２９が壁パネル５ｄに当接した状態となり、浴槽２の垂下片２ｂを立上片２０ｃと壁パネル５ｄ間に差し込んで、良好に浴槽２を壁パネル５ｄに固定できるものである。また、孔２０ｅ，２０ｅが複数あることから、浴槽２の垂下片２ｂに水平片２０ｂを当接させて、浴槽２のがたつきを抑えることができる。
【００２９】
なお、このような端縁固定金具２０は、図１８に分解図で示すような構造のものを採用することもできる。
図１８に示す端縁固定金具２０は、別に押圧金具３１を用い、端縁固定金具２０の固定片２０ａの中央部の、下方側が開放された逆Ｕ字状の開口の内側に上下にノコ歯状に形成されているノコ歯状係合部２０ｆに対して、押圧金具３１の中央部に突出している中央段部３１ａの側縁に同様に形成されているノコ歯状の係合部を係合させて、押圧金具３１に対する端縁固定金具２０の上下高さを適宜調整することができ、上下高さを調整して押圧金具３１の通し孔３１ｂ内にワッシャーを介在させてビス３０を通し、ビス３０を端縁固定金具２０の縦方向に長い長孔２０ｅ内に通して、ビス３０を壁パネル５ｄに固定することができ、押圧金具３１で強固に端縁固定金具２０の固定片２０ａが壁パネル５ｄに固定され、端縁固定金具２０の立上片２０ｃを浴槽の垂下片２ｂに係合させて、強固に浴槽２を壁パネル５ｄに固定することができるものとなる。
【００３０】
さらに端縁固定金具２０は、図１９に分解図で示すような構成部材で構成することもできる。
即ち、図１９では、Ｌ金具５０とバネ金具２２が端縁固定金具２０に連結されるものであり、Ｌ金具５０は、側面壁パネル５ｄに固定される固定片５０ａの先端から直角に折曲片５０ｂが一体形成されており、固定片５０ａには横長状の横長孔５０ｃが形成されており、折曲片５０ｂには縦長孔５０ｄが形成されている。
また、バネ金具２２は、Ｌ金具５０の折曲片５０ｂに固定される垂直な垂直片２２ｆの下端から、前方側へ延びて更に上方へ向かって半円形状に湾曲された湾曲バネ片２２ｇを備えている。
【００３１】
図２０に組み付け状態を示すように、端縁固定金具２０の固定片２０ａをＬ金具５０の固定片５０ａに当接させて、横長孔５０ｃと縦長孔２０ｅを整合させ、ネジ２５を縦長孔２０ｅから横長孔５０ｃに通し、ネジ２５を側面壁パネル５ｄの壁孔にねじ込んで固定することができ、縦長孔２０ｅで端縁固定金具２０の上下高さを調整して、良好に浴槽２の高さを調整できるものである。また、横長孔５０ｃで横方向に移動させて、上エプロン４ａの洗い場３ａ側への出代を調整できるものである。
【００３２】
さらにＬ金具５０の折曲片５０ｂにバネ金具２０の固定片２２ｆを当接させて、折曲片５０ｂの縦長孔５０ｄによりバネ金具２２の取り付け高さを調整し、これにより上エプロン４ａの上下位置を調整できるものとなり、図２１に示すように、上エプロン４ａの水平片４１の下端にバネ金具２２の湾曲バネ片２２ｇが当接して、バネ力により上エプロン４ａを浴槽の垂下片２ｂの下端に押し付けて、上エプロン４ａのがたつきをなくすことができるものである。
また、浴槽の垂下片２ｂは端縁固定金具２０の立上片２０ｃに当接され、また、上エプロン４ａの側片４４の後端がＬ金具５０の折曲片５０ｂに当接して、上エプロン４ａのがたつきが良好に防がれるものとなる。
【００３３】
次に、図２２の要部縦断面図で示すものは、浴槽を奥側の奥側壁パネル５ｃにがたつくことなく取り付けるための構造であり、図２３に斜視図で示すような奥側固定金具３４が用いられ、この奥側固定金具３４は、ビス３６をビス孔３４ｅ内に差し込んで締め付けて奥側壁パネル５ｃに固定される固定片３４ａの上端に、水平片３４ｂが一体形成され、水平片３４ｂから上方へ立ち上げて立上片３４ｃが形成され、立上片３４ｃの上端側は傾斜状のガイド片３４ｄとなっており、このガイド片３４ｄおよび立上片３４ｃには、スポンジテープ３５などの弾性材が貼着されており、図２２に示すように、このスポンジテープ３５が浴槽の垂下片２ｂを奥側壁パネル５ｃ側に押圧して、がたつくことなく強固に浴槽２を奥側壁パネル５ｃに固定できるものとなる。
【００３４】
なお、奥側固定金具３４は、図２４の変更例で示すように、ゴムキャップ３７をガイド片３４ｄと立上片３４ｃに上方から被せたもので構成することもでき、この図２４の奥側固定金具３４の取付状態は、図２５に示す。
【００３５】
次に、ドア側壁パネル５ｂとカウンター６の他端間の隙間を埋めるための隙間材１７は、図２６に示すような構造のものとしても良い。
ドア側壁パネル５ｂにビスで固定される固定片１７ａの上面には、上面載置片１７ｂが形成され、さらに固定片１７ａの前面には垂下片１７ｃが形成され、上面載置片１７ｂの後端には一段高くバックガード載置片１７ｄが形成されている。上面載置片１７ｂおよびバックガード載置片１７ｄ上にカウンター６の上面６ａおよびバックガード６ｄを載せて、カウンター６内に隙間材１７を呑み込ませることで、カウンター６の他端縁とドア側壁パネル５ｂ間の隙間を隙間材１７ですっきりとした状態に塞ぐことができるものである。
【００３６】
なお、図２７は、隙間材１７の変更例を示すものであり、図２７の隙間材１７は、垂下片１７ｃの下端に水平状に折り曲げて回り込み片１７ｅが一体形成されており、また、正面側壁パネル５ａに当接する壁当接片１７ｆが垂下状に形成され、縦方向に長い長孔１７ｇが形成されたものである。
長孔１７ｇ，１７ｇ内にそれぞれビスを入れて、ビスをドア側壁パネル５ｂに締め付けて、ドア側壁パネル５ｂに隙間材１７を上下高さを調節して固定することができ、この固定状態で壁当接片１７ｆが正面側壁パネル５ａに当接して、強固な固定状態が得られるものであり、この状態で図２８に示すように、上面載置片１７ｂ上にカウンターの上面６ａを整合させ、バックガード載置片１７ｄ上にカウンターのバックガード６ｄを整合させ、垂下片１７ｃの前面にカウンターの前面６ｂを整合させ、回り込み片１７ｅの下面にカウンターの底面６ｃを整合させて、カウンター６の他端内に隙間材１７を呑み込ませて隙間を調整することができ、しかもカウンター６の他端側を強固に隙間材１７で支持することができるものとなる。
【図面の簡単な説明】
【００３７】
【図１】浴室の内部配置構成図である。
【図２】カウンターを取り付ける前の浴槽とエプロンの設置状態を示す斜視構成図である。
【図３】２分割されたエプロンにおいて、上エプロンに下エプロンを取り付けた状態の縦断面拡大構成図である。
【図４】上エプロンを浴槽に係合させた要部縦断面図である。
【図５】バネ金具を用いて上エプロンを浴槽に係合させた状態の要部縦断面図である。
【図６】バネ金具の斜視構成図である。
【図７】エプロンを壁パネルに固定させるためのＬ型固定金具の斜視構成図である。
【図８】カウンターを引き寄せるためのバックハンガーの斜視構成図である。
【図９】エプロンと壁パネルとカウンターを連結させることのできるＬ型固定金具の斜視構成図である。
【図１０】上エプロンを固定させるために浴槽側の左右方向端縁に設けられている縦支持部材の斜視構成図である。
【図１１】上エプロンの左右方向の端縁の要部拡大斜視構成図である。
【図１２】縦支持部材に取り付けられたゴム部材に上エプロンのリブを嵌め込んだ状態の平面拡大構成図である。
【図１３】カウンターと水栓カバーを箱カバーで隙間なく連続させた状態の斜視構成図である。
【図１４】カウンターのバックガードに嵌め込まれるビスキャップの斜視構成図である。
【図１５】ビスキャップの係合爪の側面構成図である。
【図１６】浴槽の左右方向端縁を壁パネルに固定させるための端縁固定金具の斜視構成図である。
【図１７】端縁固定金具により浴槽を壁パネルに固定させた状態の縦断面構成図である。
【図１８】端縁固定金具の変更例を示す分解斜視図である。
【図１９】端縁固定金具の変更例を示す構成部材の分解斜視図である。
【図２０】図１９の構成部材を組み付け、上エプロンを取り付ける前の分解斜視構成図である。
【図２１】端縁固定金具に浴槽と上エプロンを取り付けた状態の縦断面構成図である。
【図２２】奥側固定金具により浴槽を奥側壁パネルに固定させた状態の縦断面構成図である。
【図２３】奥側固定金具の斜視構成図である。
【図２４】奥側固定金具の変更例を示す分解斜視構成図である。
【図２５】図２４の奥側固定金具を壁パネルに固定させた状態の縦断面構成図である。
【図２６】隙間材の斜視構成図である。
【図２７】隙間材の変更例を示す斜視構成図である。
【図２８】図２７の隙間材にカウンターを被せた状態の縦断面構成図である。
【符号の説明】
【００３８】
１  浴室
２  浴槽
２ａ  フランジ部
２ｂ  垂下片
２ｃ  リブ
２ｄ  ボス部
３  洗い場パン
３ａ  洗い場
３ｂ  堤防部
４  エプロン
４ａ  上エプロン
４ｂ  下エプロン
５ａ  正面側壁パネル
５ｂ  ドア側壁パネル
５ｃ  奥側壁パネル
５ｄ  側面壁パネル
６  カウンター
６ａ  上面
６ｂ  前面
６ｃ  底面
６ｄバックガード
６ｅ  洗面器載せ部
６ｆ，６ｇ  係止爪
７  水栓カバー
８  水栓ハンドル
１２  浴槽パン
１３  バックハンガー
１４  カウンター支持金具
１５  Ｌ型固定金具
１５ａ  壁固定片
１５ｂ  エプロン固定片
１５ｃ  ネジ孔
１５ｄ  通し孔
１６ａ，１６ｂ，１６ｃ  カウンターブラケット
１７  隙間材
１７ｂ  上面載置片
１７ｃ  垂下片
１７ｄ  バックガード載置片
１７ｅ  回り込み片
１７ｆ  壁当接片
１８  ビスキャップ
１８ｃ  係合爪
１９  縦支持部材
１９ａ  前面
１９ｂ  内側側面
２０  端縁固定金具
２０ａ  固定片
２０ｂ  水平片
２０ｃ  立上片
２０ｄ  傾斜ガイド片
２０ｅ  孔
２１ａ，２１ｂ  スポンジテープ
２２  バネ金具
２２ａ  固定片
２２ｂ  垂下片
２２ｃ  傾斜片
２２ｄ  バネ片
２２ｅ  折曲片
２２ｆ  固定片
２２ｇ  湾曲バネ片
２４  タッピングビス
２５  ネジ
２６  蝶ネジ
２７  ゴム部材
２８  箱カバー
２９  シール材
３１  押圧金具
３４  奥側固定金具
３５  スポンジテープ
３７  ゴムキャップ
３９  引っ掛かり防止金具
４１  水平片
４２  垂直片
４３  上端水平片
４４  側片
４５  リブ
５０  Ｌ金具
５０ａ  固定片
５０ｂ  折曲片
５０ｃ  横長孔
５０ｄ  縦長孔
１５０  Ｌ型固定金具
１５０ａ  壁固定片
１５０ｂ  エプロン固定片
１５０ｃ  カウンター上面引っ掛け片
１５０ｄ  カウンター前面引っ掛け片
１５０ｅ  カウンター底面引っ掛け片
１５０ｆ  配管用開口
１５０ｇ  ネジ孔
１５０ｈ  カウンター固定用ブラケット部
１５０ｉ  バックガード固定部
１５０ｊ  カウンター当接片
【図１】
0004739960.tif 000002
【図２】
0004739960.tif 000003
【図３】
0004739960.tif 000004
【図４】
0004739960.tif 000005
【図５】
0004739960.tif 000006
【図６】
0004739960.tif 000007
【図７】
0004739960.tif 000008
【図８】
0004739960.tif 000009
【図９】
0004739960.tif 000010
【図１０】
0004739960.tif 000011
【図１１】
0004739960.tif 000012
【図１２】
0004739960.tif 000013
【図１３】
0004739960.tif 000014
【図１４】
0004739960.tif 000015
【図１５】
0004739960.tif 000016
【図１６】
0004739960.tif 000017
【図１７】
0004739960.tif 000018
【図１８】
0004739960.tif 000019
【図１９】
0004739960.tif 000020
【図２０】
0004739960.tif 000021
【図２１】
0004739960.tif 000022
【図２２】
0004739960.tif 000023
【図２３】
0004739960.tif 000024
【図２４】
0004739960.tif 000025
【図２５】
0004739960.tif 000026
【図２６】
0004739960.tif 000027
【図２７】
0004739960.tif 000028
【図２８】
0004739960.tif 000029